(57)【要約】【課題】人の首筋付近からの雨水の浸入と横側からの雨風の浸入を防ぐとともに、その人の行動を妨げることなく、装着違和感を感じさせることなく、ザックの機能性、実用性を妨げることなく、さらに透湿機能を有するレインウェアの透湿機能を損なうことなく、機能性・実用性・ファッション性・デザイン性・防水効果の全て満足のいく完成度の高いザックカバーを実現する。【解決手段】ザックカバー本体２によって、ザックＳの全体をすっぽりと覆うようになすと共に、ザックＳの肩ベルトＳ１、Ｓ１及び腰ベルトＳ２，Ｓ２の一部を上スリーブ部３，３および下スリーブ部４，４で覆うようにする。上スリーブ部３，３の遊端開口部３３，３３からザックカバー本体２を経て下スリーブ部４，４の遊端開口部４３，４３にかけて一連の開放部５，５を設け、この開放部５，５を開閉可能とする連結部材６を設ける。【選択図】　　　図５
2004016621.tif 000002
【特許請求の範囲】
【請求項１】
ザックを収容し得る有底筒状のザックカバー本体であって、このザックカバー本体の背負い側上部左右に一対の上開口部が形成されるとともに、上記ザックカバー本体の背負い側下部左右に一対の下開口部が形成され、上開口部から下開口部にかけて一連に左右一対の開放部が形成されるザックカバー本体と、ザックカバー本体の各開放部を開閉可能に連結する連結部材とを含むことを特徴とするザックカバー。
【請求項２】
ザックを収容し得る有底筒状のザックカバー本体と、このザックカバー本体の背負い側上部左右に、基部が該本体の筒内と連通状態で取付けられ、他端が遊端開口部とされた一対の上スリーブ部と、上記ザックカバー本体の背負い側下部左右に、基部が該本体の筒内と連通状態で取付けられ、他端が遊端開口部とされた一対の下スリーブ部と、上スリーブ部の遊端開口部からザックカバー本体を経て下スリーブ部の遊端開口部にかけて一連に形成された左右一対の開放部を開閉可能に連結する連結部材とを含むことを特徴とするザックカバー。
【請求項３】
上記上スリーブ部が、ザックカバー本体に収容されたザックの肩ベルトの少なくとも上部を覆うものである請求項２記載のザックカバー。
【請求項４】
上記下スリーブ部が、ザックカバー本体に収容されたザックの腰ベルトの少なくとも一部を覆うものである請求項２記載のザックカバー。
【請求項５】
上記上スリーブ部の遊端開口部には、周方向に弾発的な弾発部材が固定されている請求項２または３記載のザックカバー。
【請求項６】
上記下スリーブ部の遊端開口部には、周方向に弾発的な弾発部材が固定されている請求項２または４記載のザックカバー。
【請求項７】
上記連結部材は、上スリーブ部の遊端開口部からザックカバー本体を経て下スリーブ部の遊端開口部にかけての一連の操作で開放部を閉止することができるファスナーから成る請求項２〜６の１つに記載のザックカバー。
【請求項８】
上記連結部材による連結部を覆う防水カバー部が設けられている請求項１、２または７記載のザックカバー。
【請求項９】
上記上スリーブ部の遊端開口部近傍位置には、ザックカバー本体に収容されたザックの胸ベルトを取出す為の孔が形成されている請求項２、３、５、７のうちの１つに記載のザックカバー。
【請求項１０】
上記ザックカバー本体の上端部は開口され、この開口部を封止するための封止手段が設けられている請求項１〜９のいずれか１つに記載のザックカバー。
【請求項１１】
上記封止手段により封止されたザックカバー本体上端の開口部をザックカバー本体の下方に向け巻き込み、この巻き込み状態を維持するための抑止部材が設けられている請求項１０記載のザックカバー。
【請求項１２】
ザック収納状態でザックカバー本体の胴部を周方向に締めて該本体のばたつきを防止するための締具が設けられている請求項１〜１１のいずれか１つに記載のザックカバー。
【請求項１３】
上記ザックカバー本体の底部には排水用の小孔が設けられている請求項１〜１２のいずれか１つに記載のザックカバー。
【発明の詳細な説明】
【０００１】
【発明の属する技術分野】
本発明は、リュックザック、ディパックなどと呼ばれる背負って人に装着するザックを、雨水などから保護して、ザックが濡れないようにするザックカバーに関する。
【０００２】
【従来の技術】
登山やハイキングに出かけるときには、食料や装備品等の荷物を入れたザックを背負い行動する。そして厳しい自然環境の中、雨に対しての装備としてレインウェアは必需品として携行するが、それは人体に対しての対策であり、食料や衣類等大切な装備を入れたザックは、雨ざらしになる。ザックは、防水性が悪く、どうしてもザックの中に雨水が染み込み、収納物が濡れてしまう。
【０００３】
ザック自体を、防水性の材料、たとえばビニールなどの合成樹脂などから成るシートによって構成するとすれば、デザインや大きさ、加工の制約などを受ける。また、熱融着した部分および縫製による縫い目の部分などから荷物の重量によって、裂けてきて破損しやすくなるという耐久性の問題がある。したがってザック自体の材料は、織物などの生地から成り、縫製加工されている。通気性を有する布などのシートから成る。そのためザックは、上述のように雨水の縫い目からの染み込みによって濡れてしまい、収納された荷物にもおよぶ結果になる。
【０００４】
そこでザックを雨から守るために図１８に示される先行技術のザックカバーＡが用いられる。このザックカバーＡは、ザックの前側（ユーザである人Ｍの背後側、図１８の左方）から、かぶせて装着する。ザックカバーＡは、人Ｍの背後に臨んでザックＳの背当て部は開放している。このザックカバーＡは雨を通さない防水布からできており、ザックＳを雨から守る効果は格段に上がる。このような現在市販されているザックカバーＡは、ザックＳ全体を覆うというものではなく、人ＭがザックＳを背負うという性格上、表面的な外側の部分だけを覆うため、どうしても人の背部とザックＳの背当て部との隙間、特に首筋などの上部から、雨水が浸入し、ザックＳの背部の縫い目や生地から雨水が染み込み、ザックＳ内の物を濡らすということが必ずといっていい程起こる。
【０００５】
それの対策としては、内部の物を前もってビニール袋や防水袋等に入れておけばよい。しかし最大の問題はザックＳ本体が濡れるということである。
【０００６】
登山の条件の一つとして、装備は１グラムでも軽く、コンパクトでなければならない。ザックＳの背面には背負いやすくするためにパッドなどがあり、それが水分を含んで重くなったり、雨が止んだ後に雨衣Ｒを脱いで、ザックＳを背負うと、ザックＳの背面が濡れていて不愉快だったりする。厳しい自然環境の中で、ムダな労力を省き、少しでも体力を保つことが求められる。
【０００７】
今までのザックカバーＡの欠点を少しでもなくするための先行技術は、図１９に示されている。この図１９の先行技術は、上述の問題を解決する決定的なものではなく、そのためこのような図１９に示されるザックカバーＢよりもむしろ、構成の簡単な図１８のザックカバーＡが従来から主に使用されている。図１９に示されるザックカバーＢは、ザックを覆うザックカバー本体Ｂ１と、その本体Ｂ１に人Ｍの頭部および首筋などを連続して覆うフード部Ｂ２とを有する。
【０００８】
図２０は、さらに他の先行技術のザックカバーＣを示す。このザックカバーＣは、ザックを覆うザックカバー本体Ｃ１と、このザックカバー本体Ｃ１に連なって人Ｍの首筋を連続して覆う首筋カバー部Ｃ２とを有する。このような図２０のザックカバーＣもまた、図１９のザックカバーＢと同様に、広く使用されてはおらず、構成の簡単な図１８のザックカバーＡが主流を占めている。
【０００９】
ザックカバーを使用するユーザは登山用品を選ぶ場合、当業者にとって、機能第一主義で機能性を最優先で選ぶと思われ今ある製品よりも少しでも機能面で優れていれば、その製品を選ぶと思われていたが、現実はそうではなく、ユーザもそれを取り扱う小売店も、その図１９および図２０の製品Ｂ，Ｃをあまり支持しなかった。
【００１０】
その理由として、工夫されたザックカバーＢ，Ｃを使うことによって得られる機能と、失われる他の機能、機能性とは関係のないファッション性、等をトータルで比較して、少しの機能性のためにファッション性を犠牲にしたり、別の弊害が発生するぐらいなら、今までのザックカバーＡを選ぶ人が多く、また経済的であると思われたからである。今やファッション性も重要な要素である。この図１９および図２０の製品Ｂ，Ｃは、カラーやデザイン、ファッション性が良くないし、完成度の低いものである。数多くあるアウトドア用品メーカからは、今までのザックカバーＢ，Ｃの欠点を少しでも改良したり、それらに対抗するような新しい発想のザックカバーが全く出てこないのが現在の状況である。
【００１１】
なぜ、図１９および図２０の工夫されたザックカバーＢ，Ｃが支持されないかを考えると、そのザックカバーＢ，Ｃが背部への雨水の浸入に対しての対策であって、いかに背中とザックとの間に雨水が浸入するのを防ぐかというための発想で作られていて、この構成Ｂ，Ｃでは、背部への雨水の浸入は改善されるが、商品としてはユーザには受け入れられない魅力のない、満足度の低い商品だったからである。その欠点部分は、装着時のファッション性、デザイン性が劣ることと、ザックカバーＢ，Ｃの一部分Ｂ２，Ｃ２が人体とつながっていることによって、人体の行動を妨げたり、装着違和感を感じたり着用しているレインウェアの透湿機能を損なう部分、すなわち頭部・肩部分があることなどであり、今までのザックカバーＡには発生しなかった新しい欠点である。また装着できるザックのサイズや形状も限定され、強風時には不向きである。したがってザックカバーＢ，Ｃは、ユーザや小売店からは支持されていない。
【００１２】
現在、主に販売されているザックカバーＡに代って、上述のザックカバーＢ，Ｃの欠点が改良され、他の機能を損なうことなく、ファッション性やデザイン性・機能性にも優れている新たなザックカバーが求められているにも拘わらず、国内・国外にある多くのアウトドア用品メーカから図１８のザックカバーＡが登山用品として製品化され現在までの長年にわたりほとんど変わらず、製造、販売されてきており、他の新しい形のものが主流として出てこないのは、技術的・アイデア的にもザックカバーＢ，Ｃの欠点を克服するのは不可能に近いことだと当業者に思われているからである。
【００１３】
【発明が解決しようとする課題】
本発明の目的は、ザックの背当て部とそのザックを背負っている人の背部との隙間から雨水が浸入してザックを濡らすことを防ぐことはもちろん、ファッション性、デザイン性が向上され、さらにザックカバーが装着されているザックを背負っている人の行動を妨げたり、装着違和感を感じたり、ザックの実用性を阻害したりすることを防ぎ、その人が、透湿機能を有するレインウェアを着用している状態でも、そのレインウェアの透湿機能を損なうことがないようにした改良されたザックカバーを提供することである。
【００１４】
【課題を解決するための手段】
本発明は、ザックを収容し得る有底筒状のザックカバー本体であって、このザックカバー本体の背負い側上部左右に一対の上開口部が形成されるとともに、上記ザックカバー本体の背負い側下部左右に一対の下開口部が形成され、上開口部から下開口部にかけて一連に左右一対の開放部が形成されるザックカバー本体と、ザックカバー本体の各開放部を開閉可能に連結する連結部材とを含むことを特徴とするザックカバーである。
【００１５】
この構成によれば、ザックカバー本体内にザックをそのまま収容することができるから、このザックカバーで覆われたザックを背負った状態では、人体の背部との間の隙間から雨水がザックに浸入することがない。また、先行技術の図１９および図２０に示されるザックカバーＢ、Ｃのように人の頭部および首筋などを連続して覆うフード部Ｂ２，Ｃ２を有しないから、人体の行動を妨げたり、装着違和感を与えたりすることがない。更に、ザックカバー本体に、上開口部から下開口部にかけて開放部が一連に形成されているから、本ザックカバーにザックを収容させあるいは取り出す際に、ザックの肩ベルトをザックから外すことなく、収容あるいは取り出しを行うことができる。しかも、この開放部はザックをそのままザックカバーの側部から出し入れするためにも使用でき、咄嗟の降雨時にも迅速にサックの収容作業ができ、極めて便利である。
【００１６】
本発明は、ザックを収容し得る有底筒状のザックカバー本体と、このザックカバー本体の背負い側上部左右に、基部が該本体の筒内と連通状態で取付けられ、他端が遊端開口部とされた一対の上スリーブ部と、上記ザックカバー本体の背負い側下部左右に、基部が該本体の筒内と連通状態で取付けられ、他端が遊端開口部とされた一対の下スリーブ部と、上スリーブ部の遊端開口部からザックカバー本体を経て下スリーブ部の遊端開口部にかけて一連に形成された左右一対の開放部を開閉可能に連結する連結部材とを含むことを特徴とするザックカバーである。
【００１７】
この構成によれば、ザックカバー本体内にザックをそのまま収容することができるから、このザックカバーで覆われたザックを背負った状態では、人体の背部との間の隙間から雨水がザックに浸入することがない。また、先行技術の図１９および図２０に示されるザックカバーＢ、Ｃのように人の頭部および首筋などを連続して覆うフード部Ｂ２，Ｃ２を有しないから、人体の行動を妨げたり、装着違和感を与えたりすることがない。更に、上スリーブ部の遊端開口部からザックカバー本体を経て下スリーブ部の遊端開口部にかけて開放部が一連に形成されているから、本ザックカバーにザックを収容させあるいは取り出す際に、ザックの肩ベルトをザックから外すことなく、収容あるいは取り出しを行うことができる。しかも、この開放部はザックをそのままザックカバーの側部から出し入れするためにも使用でき、咄嗟の降雨時にも迅速にサックの収容作業ができ、極めて便利である。また上スリーブ部および下スリーブ部によってザックのベルトを覆うことができ、ベルトを雨水から防護することができる。
【００１８】
本発明では、上記上スリーブ部及び下スリーブ部は、それぞれ、本ザックカバーに収容されたザックの肩ベルトの少なくとも上部、および同ザックの腰ベルトの一部を覆うものである。下スリーブ部は更に肩ベルトの下部をも覆うものである。この構成によれば、使用者はザックをザックカバーに収容させた後、上スリーブ部で覆われた肩ベルトをして肩にかけ、一部が下スリーブ部で覆われた腰ベルトを自らの腰に装着し、ザックをしっかり背部に固定させた状態で背負うことができるのである。そして、肩ベルト或いは腰ベルトは、それぞれ上スリーブ部及び下スリーブ部で覆われているから、これらが雨水によって濡らされることがなく、肩ベルト或いは腰ベルトを経て荷物を収納するザック本体が濡れることもない。
【００１９】
本発明では、更に、上記上スリーブ部の遊端開口部に、周方向にゴム紐やゴムベルトなどの弾発的な弾発部材が固定され、下スリーブ部の遊端開口部にも、周方向に弾発的な弾発部材が固定されている。この構成によれば、上スリーブ部および下スリーブ部によって覆われる肩ベルトあるいは腰ベルトの周囲に対し、それぞれの遊端部がこの弾発部材の作用によってぴったりとフィットし、この部分からの雨水の浸入が防止される。
【００２０】
また本発明では、上記開放部を開閉可能に連結する連結部材として、上スリーブ部の遊端開口部からザックカバー本体を経て下スリーブ部の遊端開口部にかけての一連の操作で開放部を閉止することができるファスナーが望ましく採用される。この構成によれば、ファスナーによる斯かる一連の操作により開放部を閉止することができ、またこの逆の操作により開放させることができるので、極めて扱い易いものとなる。しかも、閉止の際には上スリーブ部から下スリーブ部に向けて操作されるようにしているから、これと逆の操作で閉止する場合のように、閉止作業の途中で上スリーブ部が開く為にファスナー操作がスムースに行われないと言うようなことはない。
【００２１】
上記連結部には、これを覆う防水カバー部を設けることも可能である。この防水カバーによりファスナーによる連結部からザックカバー本体内に雨水が浸入するのを防止することができる。但し、ファスナーが防水性のものである場合は、この防水カバーは不要である。
【００２２】
また本発明では、上スリーブ部の遊端開口部近傍位置に、ザックカバー本体に収容されたザックの胸ベルトを取出す為の孔を形成することも望ましい。通常のザックでは、背負った状態で肩ベルトが開かないように、左右の肩ベルトを繋ぐ為の胸ベルト（又はチェストトラップ）が取付けられたものが多い。本構成によれば、このようなザックの場合でも、ザックカバーにザックを収容し、これを背負った後に上記左右の孔から胸ベルトを取り出し、これらを互いに結着することができ、胸ベルト本来の機能を損なうこともない。
【００２３】
更に本発明では、上記ザックカバー本体の上端部は開口され、この開口部を封止するための封止手段が設けられている。上記では、ザックカバー本体側部の開放部からザックの出し入れが可能である旨述べたが、本構成によれば、この上端開口部からもザックの出し入れを行うことができる。ザックを収容した後は、封止手段により開口部を封止できるから、使用中に内部のザックが不意に露出するようなことがない。また、上記封止手段により封止されたザックカバー本体上端の開口部をザックカバー本体の下方に向け巻き込み、この巻き込み状態を維持するための抑止部材を設けることも望ましい。このようにすれば、封止状態が維持されると共に、上端開口部からの雨水の浸入が確実に防止される。
【００２４】
本発明では、ザック収納状態でザックカバー本体の胴部を周方向に締めて該本体のばたつきを防止するための締具が設けられている。特に山では降雨時には風が強いことも多く、したがって、本構成によれば、このような天候であってもザックカバー本体がばたついたり煽られたりすることがない。
【００２５】
本発明ではまた、上記ザックカバー本体の底部には排水用の小孔が設けられている。本構成によれば、万が一ザックカバー本体内に雨水が入っても底部に設けられた小孔から逐次排出されるので、カバー内に雨水が溜まることがない。
【００２６】
【発明の実施の形態】
本発明の実施の形態について図を参照しながら説明する。図１は本発明の実施の一形態のザックカバーを押し広げその背側から見た背面図、図２はその前側から見た正面図、図３はその左側面図である。また図４は同実施形態のザックカバーの展開図である。１は本実施形態のザックカッバーの全体を示し、基本的には有底の筒状ザックカバー本体２と、このザックカバー本体２の背負い側上部左右に取付けられた一対の上スリーブ部３，３と、上記ザックカバー本体２の背負い側下部左右に取付けられた一対の下スリーブ部４，４とを有する。これら構成部材としては、たとえばナイロン、ポリエステルなどの化学繊維および混紡などの繊維の織物から成る生地の裏面にたとえばポリウレタン、アクリルおよび合成樹脂並びにその他の防水性による防水層素材がたとえばコーティングおよびラミネート加工並びにその他の加工方法によって形成されたものが望ましく採用される。また、これら各構成部材は、ミシンによって縫製されるが、縫目の内面部分に、防水テープが貼着され、もしくは液体状またはゲル状の目留め剤が塗布され、この縫目から内部に雨水が浸入するのを防止するようになされている。なお、図４は各構成部材の展開状態を概念的に示したものであって、必ずしも対応箇所の寸法が整合しているものではない。
【００２７】
ザックカバー本体２は、ザックの前部と両側部を覆う主部２１と、この主部２１の両側部に縫着されザックの背側を覆う背面部２２と、この主部２１と背面部２２とで形成される筒状の下端部に縫着されてザックの下部を覆う底部２３とより構成される。即ち、図４に展開して示す主部２１の左右両側辺縁部２１ａ，２１ａが、背面部２２の左右両側辺縁部２２ａ，２２ａとそれぞれ縫着一体とされる。また、主部２１と背面部２２とのこの縫着一体によりそれぞれの下辺縁部２１ｂ，２２ｂで形成される円環状部に、底部２３の周縁部２３０が縫着一体とされて有底筒状のザックカバー本体２が形成される。
【００２８】
上スリーブ部３，３及び下スリーブ部４，４は、上記背面部２２に取付けられる。即ち、図４に示すように、背面部２２の上部左右には上スリーブ部用の２個の孔３０，３０が形成され、また下部には下スリーブ部用の２個の孔４０，４０が形成されている。この上下の孔３０，３０と孔４０，４０とがそれぞれ連なるようスリット状に切り開かれ、この切開部３４，３４が、後記する開放部５の一部を構成する。上スリーブ用孔３０，３０の周縁部３０ａ，３０ａには、図４に展開して示す台形状の上スリーブ部３，３の長辺側基部辺縁部３１，３１が縫着一体に取付けられる。この時、各上スリーブ部３，３の両側辺縁部３２，３２が互いに衝合するよう且つこの衝合部が上記各切開部３４と略直線的に連なるように整合される。そしてこの両側辺縁部３２，３２の衝合部も上記同様後記する開放部５の一部を構成する。
【００２９】
また、下スリーブ用孔４０，４０の周縁部４０ａ，４０ａには、図４に展開して示す台形状の下スリーブ部４，４の長辺側基部辺縁部４１，４１が縫着一体に取付けられる。この時、各下スリーブ部４，４の両側辺縁部４２，４２が互いに衝合するよう且つこの衝合部が上記各切開部３４と略直線的に連なるように整合される。そしてこの両側辺縁部４２，４２の衝合部も、上記同様後記する開放部５の一部を構成する。上記のように背面部２２に取付けられた状態の上スリーブ部３及び下スリーブ部４は開環コーン状筒状体であり、図４の展開図における台形状の短辺側に対応する各先側はそれぞれ遊端開口部３３，４３とされる。
【００３０】
上記のように有底筒状に形成されたザックカバー本体２の上端部は開口部２４とされ、この開口部２４の辺縁部は袋縫部２４ａとされている。この袋縫部２４ａ内には締紐２４ｂが挿通され、この締紐２４ｂにより開口部２４を巾着袋のように締付封止することができる。２４ｃは、締紐２４ｂを締め付け状態に維持する為の留め具である。
【００３１】
図５及び６は、本発明のザックカバー１の状態を示す図１と同様図であり、図５は開放部５を一部開放した状態を、図６は開放部５を完全に開放した状態をそれぞれ示す。上記各上スリーブ部３の両側辺縁部３２，３２の衝合部、切開部３４及び各下スリーブ部４の両側辺縁部４２，４２の衝合部の一連的な連なりにより形成される開放部５の対向辺部５０，５０には連結部材６としてのファスナー片６１，６２が縫着されている。そして、この両ファスナー片６１，６２を連結・遊離させるためのファスナー操作片６３が両ファスナー片６１，６２にまたがるように取り付けられている。このファスナー操作片６３は開放部５の始端部、即ち上スリーブ部３の遊端開口部３３では、一方のファスナー片６１から離反可能とされ、これにより図６に示すように開放部５が完全に開放状態とされる。
【００３２】
上記左右の各開放部５の外寄りには、該開放部５に沿って且つその全長に亘って、図４の展開図で示す防水カバー９，９の基部９０，９０が縫着一体に取付けられる。該防水カバー９，９の遊端部９１，９１は、ザックカバー本体２の中心側に向けられ、これにより上記閉止状態の開放部５，５が防水カバー９，９により覆われる。上記遊端部９１，９１の少なくとも長手方向両端（上スリーブ部３の遊端開口部３３及び下スリーブ部４の遊端開口部４３）とその途中数箇所には、止具としてのホック雄（雌）９２…が取付けられ、上スリーブ部３の辺縁部３２、背面部２２の切開部３４、下スリーブ部４の辺縁部４２の対応位置に該ホック雄（雌）９２…と係着・離反可能なホック雌（雄）９３…が取付けられる。これら止具の数および取付位置は、任意に設定することができる。この両ホック９２…，９３…の係着により、閉止状態の開放部５，５が防水カバー９，９によって覆われた状態に維持され、この部分からの雨水の浸入が防止される。また、ホック取付位置の遊端部９１，９１には突片状つまみ９４…が取付けられ、この突片状つまみ９４…により、ホック９２…，９３…の離反取り外しが容易になされる。図７は、図１のＶＩＩ−ＶＩＩ線断面図であり、上記ファスナー片６１，６２により開放部５が閉止され、この閉止部が防水カバー９によって覆われた状態を示す。なお、上記ファスナー片６１，６２が防水性を有するものであればこの防水カバー９は不要とされる。
【００３３】
上記開放部５を閉止する場合、図６のように完全に開放された状態で、上スリーブ部３の遊端開口部３３において片方のファスナー片６１（６２）に係止するファスナー操作片６３を、他方のファスナー片６２（６１）にその遊端開口部３３側端部から両ファスナー片６１，６２にまたがるよう係止させる。次いで、ファスナー操作片６３を下スリーブ部４側に操作し、該下スリーブ部４の遊端開口部４３にまで至らせる。この操作により両ファスナー片６１，６２が一連的に連結され、開放部５が閉止される。このように、上スリーブ部３の遊端開口部３３から下スリーブ部４の遊端開口部４３に向けファスナー操作片６３を操作する理由は、逆に操作する場合のように上スリーブ部３が開くことなくスムースに操作ができるからである。そして、図７に示すように防水カバー９でこの閉止部を覆い、ホック９２…，９３…を互いに係着させる。開放する場合は突片状つまみ９４…を引っ張って、ホック９２…，９３…を互いに離反させ、その後ファスナー操作片６３を上記とは逆に操作すれば良いことは言うまでもない。
【００３４】
上スリーブ部３の遊端開口部３３及び下スリーブ部４の遊端開口部４３には
周方向に弾発的な弾発部材３５，４５が取付け固定されている。この弾発部材３５，４５はその長手方向の長さが調整可能とされており、種々のザックに対応可能とされている。後記するように上記開放部５が閉止され、遊端開口部３３及び遊端開口部４３のホック９２，９３が係着された使用状態では、遊端開口部３３及び遊端開口部４３が、それぞれの弾発部材３５，４５により絞られた状態となる。したがって、上スリーブ部３及び下スリーブ部４で覆われたザック肩ベルト及び腰ベルトが雨水に晒されることがなく、また遊端開口部３３及び遊端開口部４３からの雨水の浸入も抑止される。
【００３５】
上スリーブ部３，３の遊端開口部３３，３３近傍には、その長手方向に沿ってスリット状の切開孔３６，３６が形成されている。この切開孔３６，３６は、ザックカバー１内のザック肩ベルトの途中に取付けられた胸ベルトを取り出す為の孔である。胸ベルトは前述したようにザックを背負った状態で肩ベルトが開くのを防止する為に胸前で互いに結着するものであり、したがって、本実施形態のザックカバー１の使用状態でも胸ベルトの機能が損なわれることがない。
【００３６】
図４において、ザックカバー本体２を構成する底部２３には、１または複数の小孔、たとえば２個の小孔２３ａ，２３ａが設けられており、万が一ザックカバー１内に雨水が浸入してもこの小孔２３ａ，２３ａから逐次排出されるから、ザックカバー１内に雨水が溜まらず、またその通気性機能によりザックカバー１内のむれも生じることがない。
【００３７】
図２に示すように、ザックカバー本体２の両側部には胴部を周方向に締付ける為の締具７としての締付ベルト７１，７２が取付けられている。この締付ベルト７１，７２の先端にはワンタッチバックル７３，７４が取付けられている。後記するザックの収容状態で、このワンタッチバックル７３，７４を主部２１側で互いに係着することによってザックカバー本体２のばたつきが防止される。各締付ベルト７１，７２は、弾発的に伸縮可能なベルト、たとえばゴムベルトであってもよく、この場合、各締付ベルト７１，７２が弾発的に収縮しようとする弾性回復力を利用して、ザックカバー本体２のばたつきを防止することができる。また各締付ベルト７１，７２は、非伸縮性のベルトであってもよく、この場合、ベルト長を調節可能に構成し、このベルト長の調節によって、ザックカバー本体２のばたつきを防止することができる。さらに、各締付ベルト７１，７２の先端部に設けられるバックルは、その構成は特に限定されず、前記ワンタッチバックル７３，７４であってもよいし、その他のバックルであってもよく、相互に係着することができる構成であればよい。
【００３８】
また図２に示すように、ザックカバー本体２の上端開口部２４近傍の主部２１側には、該開口部２４を前記締紐２４ｂにより封止し、これを巻き込んでその状態に維持するための拘束部材としての締付ベルト８が縫着されている。該締付ベルト８の両端は遊端部とされ、この遊端部にはワンタッチバックル８１，８２が取付けられている。後記するように、ザックをザックカバー１に収納した後、上記締紐２４ｂにより封止されたザックカバー本体２の上端開口部２４を、ザックカバー本体２の下方に向け巻き込み、この状態でワンタッチバックル８１，８２を互いに係着する。これにより巻き込み状態が維持される。
【００３９】
拘束部材としての締付ベルト８のワンタッチバックル８１，８２は、その構成が限定されるものではなく、締具７としての締付ベルト７１，７２のワンタッチバックル７３，７４と同様であっても、異なる構成であってもよいが、本実施の形態では異なる構成である。
【００４０】
図８〜図１１は、ザックカバー１の使用例を示すものである。図８は、開放部５を図６のように全開にした状態で、この開放部５からザックＳをザックカバー１内に収容させんとするものである。ザックＳの上部から全開とされた一方の開放部５に挿入し、ザックＳの底部をザックカバー１の底部２３に位置させるとともに左右の肩ベルトＳ１、Ｓ１及び腰ベルトＳ２、Ｓ２を両開放部５，５に位置させる。この時、肩ベルトＳ１の先端は、腰ベルトＳ２の取付け基部である腰当パッドＳ３に連結されている。肩ベルトＳ１の胸側部分及び腰ベルトＳ２を開放部５から露出させた状態で、上述のようにファスナー操作片６３を両ファスナー片６１，６２にまたがせて、上スリーブ部３の遊端開口部３３から下スリーブ部４の遊端開口部４３に向け該ファスナー操作片６３を操作して両開放部５，５を閉止する。そして、図７のように防水カバー９，９でこの閉止部を覆い、それぞれのホック９２…，９３…を互いに係着させる。肩ベルトＳ１は腰当パッドＳ３に取り外し可能に連結されているが、上記ザックＳの挿入作業の際にはこの連結を解除する必要がない。
【００４１】
図９は、ザックＳがザックカバー１内に収容された状態を示し、左右の肩ベルトＳ１、Ｓ１の上部が上スリーブ部３，３で覆われ、また腰ベルトＳ２、Ｓ２の基部が下スリーブ部４，４によって覆われている。上スリーブ部３，３に形成された切開孔３６，３６からは肩ベルトＳ１、Ｓ１に連結された胸ベルトＳ４、Ｓ４が取り出されている。ザックカバー本体２の上端開口部２４は締紐２４ｂにより巾着状に締め付けられ封止されている。
【００４２】
図１０は、上記要領でザックカバー１内にザックＳを収容し、その体裁を整えた状態を前部側から見た図である。上記締紐２４ｂによる封止部分は、ザックカバー本体２の下方に向け巻き込まれ、図示のようにこの巻き込み部分は輪状にされ、締付ベルト８のワンタッチバックル８１，８２を互いに係着することによって巻き込み状態を維持するようになされている。
【００４３】
図１０は、更にザックカバー本体２の両側部に取付けられた締具７としての締付ベルト７１，７２を、その先端のワンタッチバックル７３，７４をして互いに係着した状態を示している。これにより、雨天での歩行の態勢が整えられることになる。即ち、レインウェアを着用した使用者は、図９の状態から図１０の状態にザックＳを整えた上で、上スリーブ部３，３で覆われた肩ベルトＳ１、Ｓ１に腕を通し、胸ベルトＳ４、Ｓ４を胸前で連結する。腰当パッドＳ３，Ｓ３を腰にあて、更に腰ベルトＳ２、Ｓ２を連結して準備が完了する。
【００４４】
この状態で、降雨下を歩行しても、ザックの背当て部とそのザックを背負っている使用者の背部との隙間から、雨水が浸入してザックを濡らすことがない。また、使用者の行動を妨げたり、装着違和感を与えたり、ザックの実用性を妨げたりすることがない。更に、透湿機能を有するレインウェアを着用している場合でもその透湿機能を損なうこともない。更に、ザックの肩ベルトＳ１や腰ベルトＳ２は、その大半が上スリーブ部３及び下スリーブ部４で覆われ、しかもそれらの遊端開口部３３及び４３には弾発部材３５，４５が周方向に取付けられているから、遊端開口部３３及び４３が絞られるようになり、この部分からの雨水の浸入もない。ザックカバー本体２の上端開口部２４は、締紐２４ｂにより締付け封止され、締付ベルト８により封止部の巻き込み状態が維持されるようになされているから、歩行中にこの封止が解け内部のザックが濡れるような懸念もない。加えて、締付ベルト７によりザックカバー本体２の胴部が周方向に締められているから、該本体２がばたついたり風で煽られたりすることもない。
【００４５】
図１１は、使用状態の一例を示すものであり、ザックＳの収容状態で、両開放部５を一部開放してザックＳの側部ポケットＳ５等に収められた飲料ボトルを取り出すことができることを示している。したがって、歩行中或いは休憩時に、ザックカバー１からザックＳを取り出すことなくこのような飲料ボトル等の取り出しができ、極めて便利である。特に降雨下での山道の歩行においては、体力の消耗が激しい為、出来るだけ無駄な行動を避けるべきであるが、このような便利機能は非常に有効である。また、図には示さないが、ザックカバー本体２の主部２１にファスナー付の開口部を設け、ザックカバー１に収納されたザックＳの外面に形成された各種ポケット内の携帯品等をザックカバー１の外から取り出せるようになすことも可能である。更に、ザックＳよりも大き目のザックカバー１を準備し、ザックとザックカバーとの隙間に、巻かれたマットなどを収容するような使用形態も可能である。
【００４６】
なお、上記説明では、全開放された開放部５からザックカバー１内にザックＳを入れる例について説明したが、上端開口部２４から入れることを除外するものではない。ザック収納状態では両者は何ら機能的に差異はなく、開放部５から入れるか上端開口部２４から入れるかは、その時の環境や使用者の好み等によって適宜採択されるものである。
【００４７】
図１２は、本発明の実施の他の形態のザックカバー１αを前側から見た正面図であり、図１３は、その左側面図である。また図１４は、ザックカバー１α内にザックＳを収容し、その体裁を整えた状態を前部側から見た図である。図１２〜図１４に示す本実施形態のザックカバー１αは、図１〜図１１に示す実施形態のザックカバー１と類似しており、同様の構成部分は同一の符号を付して説明を省略し、異なる構成部分についてだけ説明する。
【００４８】
図１２〜図１４のザックカバー１αは、締付補助ベルト８α１，８α２がザックカバー本体２の両側部にそれぞれ縫着して設けられる。各締付補助ベルト８α１，８α２は、拘束部材である締付ベルト８による巻込み状態を維持する拘束補助部材８αであって、先端部には、ワンタッチバックル８１α，８２αがそれぞれ取付けられている。
【００４９】
ザックカバー本体２の一側部の締付ベルト８α１のワンタッチバックル８１αは、拘束部材である締付ベルト８に取付けられザックカバー本体２の一側部に配置されるワンタッチバックル８１に係着される。またザックカバー本体２の他側部の締付ベルト８α２のワンタッチバックル８２αは、拘束部材である締付ベルト８に取付けられザックカバー本体２の他側部に配置されるワンタッチバックル８２に係着される。本実施の形態では、締付ベルト８のバックル８１，８２は、同一形状である。
【００５０】
このように本実施形態では、締紐２４による封止部分を巻き込んだ巻き込み部分は、拘束部材である締付ベルト８を拘束補助部材８αである締付ベルト８α１，８α２に連結することによって巻き込み状態の維持が図られる。このようにして巻き込み状態の維持を図ることができる。したがってこのような構成であっても、図１〜図１１の構成と同様の効果を達成することができる。上述の各実施の形態において、締具７は設けてもよいし、設けなくてもよい。
【００５１】
図１５は、本発明のザックカバーに適用可能な連結部材付近の構成を説明するための図である。上述の各実施の形態では、図１５（１）に示すように、開放部５の各対向辺部５０，５０に、連結部材６として、各ファスナー片６１，６２が縫着され、止具として各ホック９２，９３が設けられたけれども、本発明の実施の他の形態として、他の構成にしてもよい。連結部材および止具として適用可能な形態について、前述の形態と異なる点だけを説明し、同様の構成は、同一の参照符号を付して説明を省略する。
【００５２】
たとえば図１５（２）および図１５（３）に示すように、防水カバー９よる開放部５の覆い状態を維持のための止具として、各ホック９２，９３に代えて、たとえば相互に連結・遊離可能な対を成す面状止具片９２β，９３βを用いるようにしてもよい。この場合、対を成す面状止具片９２β，９３βのいずれか一方９２βを防水カバー９に縫着し、防水カバー９が設けられる側と反対側の対向辺部５０近傍に各面状止具片９２β，９３βのいずれか他方９３βを縫着する。各面状止具片９２β，９３βは、図１５（２）に示すように、複数の小片状の面状止具片を間隔をあけて設けてもよいし、図１５（３）に示すように、帯状の面状止具片を用いてもよい。小片状の面状止具片を用いる構成では、その個数および位置は限定されるのものではない。面状止具片９２β，９３βには、たとえばマジックテープ（登録商標）として入手可能な面状ファスナーを用いることができる。
【００５３】
またたとえば図１５（４）に示すように、開放部５を連結するための連結部材として、各ファスナー片６１，６２に代えて、たとえば相互に連結・遊離可能な対を成す面状連結片６１β，６２βを有する連結部材６βを用いるようにしてもよい。対を成す面状連結片６１β，６２βのいずれか一方６１βを各対向片部５０，５０のいずれか一方に縫着し、各面状連結片６１β，６２βのいずれか他方６２βを各対向片部５０，５０のいずれか他方に縫着する。各対向辺部５０，５０を部分的に相互に重ね合わせるようにして、各面状連結片６１β、６２βを相互に係着して、相互に連結することができる。また各面状連結片の係着を解除することによって、連結を解除することができる。このような構成であっても同様の効果を得ることができる。面状連結片９２β，９３βには、たとえばマジックテープ（登録商標）として入手可能な面状ファスナーを用いることができる。また面状連結片を用いる場合、防水カバー９，９は、設けてもまた設けなくてもよい。
【００５４】
またたとえば、図１５（１）〜図（４）に示す構成において、各ファスナー片６１，６２および各面状連結片６１β，６２βを設けずに、各ホック９２，９３および各面状止具９２β，９３βを、連結部材として用いるようにしてもよい。
【００５５】
このように図１５を参照して説明して、連結部材および止具の適用可能な形態を説明したけれども、これらもあくまで一例であり、こられに限定されることはない。これら図１５を参照して説明した構成を含めて、連結部材および止具を用いれば、たとえばそれがどのような構成であっても、同様の効果を達成することができる。
【００５６】
図１６は、本発明の実施のさらに他の形態のザックカバー１γを示す背面図であり、図１７は、その左側面図である。図１６および図１７に示す本実施形態のザックカバー１γは、図１〜図１１に示す実施形態のザックカバー１と類似しており、同様の構成部分は同一の符号を付して説明を省略し、異なる構成部分についてだけ説明する。
【００５７】
図１〜図１１の実施形態では、上スリーブ部３および下スリーブ部４が設けられたけれども、本実施の形態では、上スリーブ部３および下スリーブ部４は設けられていない。基本的には、この点を除いて同様の構成であり、ザックカバー１γでは、図１〜図１１のザックカバー１における上スリーブ用孔３０が上開口部３０となり、図１〜図１１のザックカバー１における下スリーブ用孔４０が下開口部４０となる。さらに一側部側の上開口部３０と下開口部４０にわたって形成される一方の切開部３４によって一方の開放部５γが形成され、他側部側の上開口部３０と下開口部４０にわたって形成される他方の切開部３４によって他方の開放部５γが形成される。
【００５８】
このように本実施形態のザックカバー１γは、ザックを収容し得るザックカバー本体２に、背負い側上部左右に一対の上開口部３０，３０が形成されるとともに、背負い側下部左右に一対の下開口部４０，４０が形成され、上開口部３０，３０から下開口部４０，４０にかけて一連に左右一対の開放部５γ，５γが形成される。本実施形態では、連結部材６および止具は、このような各開放部５γに関連して設けられる。
【００５９】
またザックカバー１γでは、各上開口部３０の周縁部３０ａおよび各下開口部４０の周縁部４０ａには、各周縁部３０ａ，４０ａをザックの肩ベルトおよび腰ベルトにフィットするように、換言すれば全周にわたって弾発的に当接するようにするための縛り部材１００，１０１が設けられる。各縛り部材１００，１０１は、弾発的に伸縮可能に構成され、たとえばゴム紐およびゴムベルトなどによって実現される。
【００６０】
ザックカバー本体の側部のばたつきを防ぐための締具、ザックカバー本体の上部の開口部を巻き込んだ状態で維持するための拘束部材、開放部を開閉可能に連結するための連結部材、および開放部を覆う防水カバーを止めるための止具に関する構成は、前述の各実施の形態の中から、適宜選択して採用することができる。
【００６１】
このようなザックカバー１γは、図１〜図１１を参照して説明した使用状態とほぼ同様の使用状態で用いることができ、同様の効果を達成することができる。上スリーブ部および下スリーブ部がないので、ザックのベルトを覆うことはできないけれども、各上開口部３０の周縁部３０ａおよび各下開口部４０の周縁部４０ａを縛り部材１００，１０１によってベルトに弾発的に当接させることができるので、これら各開口部３０，４０からの雨水の侵入を防ぐことができる。
【００６２】
【発明の効果】
本発明によれば、本件ザックカバーによって包まれて装着されたザックに、外部から雨水が浸入する恐れを確実に防ぎ、特に人の首筋付近から流下する雨水のザックへの浸入を防止し、そのザックを装着している人の行動を妨げることはなく、また装着違和感を感じさせることがなく、さらにその人が透湿機能を有するレインウェアを着用している状態であっても、レインウェアの透湿機能を損なうことはない。さらに本発明のザックカバーは、機能性・実用性・ファッション性・デザイン性・防水効果などの全て満足のいく非常に完成度の高い画期的な構成が実現される。
【００６３】
また本発明によれば、ザックカバー内へのザックの収容作業は極めて簡単であり、特に荒天下でのこのような作業においてはその有用価値が非常に大である。加えて、本件ザックカバーをザックに装着した状態のままで、ザック内に収納した荷物の出し入れ作業を、容易に行うことができるという効果もある。
【図面の簡単な説明】
【図１】本発明ザックカバーの実施の一形態を背側から見た背面図である。
【図２】同前側から見た正面図である。
【図３】同左側面図である。
【図４】同実施形態の各構成部材の概略展開図である。
【図５】開放部を１部開けた状態を示す図１と同様図である。
【図６】開放部を全開した状態を示す図１と同様図である。
【図７】図１のＶＩＩ−ＶＩＩ線断面図である。
【図８】本実施形態のザックカバーにザックを挿入収容する状態を示す斜視図である。
【図９】同ザック挿入完了後の状態を示す背面図である。
【図１０】同使用態勢に整えられた状態を示す正面図である。
【図１１】同使用状態の一例を示す背面図である。
【図１２】本発明ザックカバーの実施の他の形態を示す正面図である。
【図１３】同左側面図である。
【図１４】同使用態勢に整えられた状態を示す正面図である。
【図１５】本発明のザックカバーに適用可能な連結部材付近の構成を説明するための図である。
【図１６】本発明の実施のさらに他の形態のザックカバー１γを示す背面図である。
【図１７】同左側面図である。
【図１８】先行技術のザックカバーを示す側面図である。
【図１９】他の先行技術のザックカバーを示す側面図である。
【図２０】さらに他の先行技術のザックカバーを示す側面図である。
【符号の説明】
１，１α，１γ　ザックカバー
２　ザックカバー本体
２３　底部
２３ａ　小孔
２４　上端開口部
２４ａ，２４ｂ　封止手段
３　上スリーブ部
３３　遊端開口部
３５　弾発部材
３６　孔
４　下スリーブ部
４３　遊端開口部
４５　弾発部材
５　開放部
６，６β　連結部材
７　締具
８　締付ベルト（拘束部材）
８α　拘束補助部材
９　防水カバー
【図１】
2004016621.tif 000003
【図２】
2004016621.tif 000004
【図３】
2004016621.tif 000005
【図４】
2004016621.tif 000006
【図５】
2004016621.tif 000007
【図６】
2004016621.tif 000008
【図７】
2004016621.tif 000009
【図８】
2004016621.tif 000010
【図９】
2004016621.tif 000011
【図１０】
2004016621.tif 000012
【図１１】
2004016621.tif 000013
【図１２】
2004016621.tif 000014
【図１３】
2004016621.tif 000015
【図１４】
2004016621.tif 000016
【図１５】
2004016621.tif 000017
【図１６】
2004016621.tif 000018
【図１７】
2004016621.tif 000019
【図１８】
2004016621.tif 000020
【図１９】
2004016621.tif 000021
【図２０】
2004016621.tif 000022